(57)【要約】【課題】意匠性を向上させつつ、外形加飾部の強度を高めた表示装置を提供する。【解決手段】表示装置１は、情報を表示する表示器３０と、表示器３０を収容する下ケース１０と、下ケース１０の表側であって、表示器３０の周囲に位置する加飾ケース４０と、加飾ケース４０の表側に位置し、表示器３０からの光を透過する透光性基板５０と、を備える。加飾ケース４０は、透光性基板５０を透光性基板５０の裏面から支持する基板支持部４１と、基板支持部４１に連結され、透光性基板５０の外周側に位置し、視認者から視認される外形加飾部４５と、を備える。【選択図】図２
2018040747.tif 000002
【特許請求の範囲】
【請求項１】
情報を表示する表示器と、
前記表示器を収容する下ケースと、
前記下ケースの表側であって、前記表示器の周囲に位置する加飾ケースと、
前記加飾ケースの表側に位置し、前記表示器からの光を透過する透光性基板と、を備え、
前記加飾ケースは、
前記透光性基板を前記透光性基板の裏面から支持する基板支持部と、
前記基板支持部に連結され、前記透光性基板の外周側に位置し、視認者から視認される外形加飾部と、を備える、
ことを特徴とする表示装置。
【請求項２】
前記透光性基板の裏面には、視認者から見て前記基板支持部を含む範囲に遮光層が形成される、
ことを特徴とする請求項１に記載の表示装置。
【請求項３】
前記外形加飾部は、前記外形加飾部の外周側面から視認者側に向かうにつれて前記透光性基板側に近づくような傾斜面を備える、
ことを特徴とする請求項１又は２に記載の表示装置。
【請求項４】
前記透光性基板の表側の面には、
前記透光性基板の中央に近づくにつれて視認者側に向かうように傾斜し、前記透光性基板の外周側に位置する登り勾配と、
前記透光性基板の中央に近づくにつれて視認者から離れるように傾斜し、前記登り勾配の内周側に前記登り勾配に連続して位置する下り勾配と、が形成される、
ことを特徴とする請求項３に記載の表示装置。
【請求項５】
前記透光性基板の表面に位置する加飾リングを備える、
ことを特徴とする請求項１から４の何れか一項に記載の表示装置。
【請求項６】
前記表示装置は車両に搭載され、
前記外形加飾部は視認者から見て左右方向に長い５角以上の多角形の枠状をなし、
前記外形加飾部における各角部は湾曲して形成される、
ことを特徴とする請求項１から５の何れか一項に記載の表示装置。
【発明の詳細な説明】
【技術分野】
【０００１】
本発明は、表示装置に関する。
【背景技術】
【０００２】
従来から、例えば、特許文献１に記載されるように、表示パネルに加飾リングが設置される表示装置が知られている。
【先行技術文献】
【特許文献】
【０００３】
【特許文献１】特開２００６−０２１５７４号公報
【発明の概要】
【発明が解決しようとする課題】
【０００４】
この表示装置において、その外形についても加飾されることで、さらに意匠性を向上させることが望まれている。しかし、表示装置の外形に沿って、特許文献１に記載の加飾リングを設置した場合、その加飾リングはサイズが大きくなるため、その強度が不足するおそれがある。また、この強度不足を補うため、加飾リングの断面積を大きく形成した場合には、加飾リングが太くなり、表示装置にシャープな印象を与えることができず、意匠性が低下する。
【０００５】
本発明は、上記実状を鑑みてなされたものであり、意匠性を向上させつつ、外形加飾部の強度を高めた表示装置を提供することを目的とする。
【課題を解決するための手段】
【０００６】
上記目的を達成するため、本発明に係る表示装置は、情報を表示する表示器と、前記表示器を収容する下ケースと、前記下ケースの表側であって、前記表示器の周囲に位置する加飾ケースと、前記加飾ケースの表側に位置し、前記表示器からの光を透過する透光性基板と、を備え、前記加飾ケースは、前記透光性基板を前記透光性基板の裏面から支持する基板支持部と、前記基板支持部に連結され、前記透光性基板の外周側に位置し、視認者から視認される外形加飾部と、を備える。
【発明の効果】
【０００７】
本発明によれば、意匠性を向上させつつ、外形加飾部の強度を高めることができる。
【図面の簡単な説明】
【０００８】
【図１】本発明の一実施形態に係る表示装置の斜視図である。
【図２】本発明の一実施形態に係る表示装置の分解斜視図である。
【図３】本発明の一実施形態に係る表示装置の図１の３−３の縦断面図である。
【図４】本発明の一実施形態に係る（ａ）は表示装置の図１の４−４の横断面図であり、（ｂ）は当該（ａ）の部分拡大図である。
【図５】本発明の一実施形態に係る分解された表示装置の横断面図である。
【図６】本発明の一実施形態に係る加飾ケースの斜視図である。
【発明を実施するための形態】
【０００９】
本発明に係る表示装置の一実施形態について、図面を参照して説明する。
【００１０】
図１に示すように、表示装置１は、視認者（例えば運転者）から見て左右方向に長い６角形をなす立方体として構成される。表示装置１は、図示しない車両のダッシュボードに設置される。本例では、表示装置１は、例えば車速を表す第１の表示部１ａと、例えばエンジン回転数を表す第２の表示部１ｂと、ナビゲーション情報又は各種車両情報を表す第３の表示部１ｃと、を備える。各表示部１ａ〜１ｃはデジタルで情報を表示する。例えば、第１の表示部１ａは、視認者から見て左側に位置するとともに円形をなす。第１の表示部１ａは、その外周に沿って配置された車速及び目盛（図示しない）と、その中央から径方向外側に延びる指針（図示しない）と、をデジタルで表示する。この目盛に対するこの指針の位置により車速が表される。また、第２の表示部１ｂは、視認者から見て右側に位置するとともに円形をなす。第２の表示部１ｂは、その外周に沿って配置されたエンジン回転数及び目盛（図示しない）と、その中央から径方向外側に延びる指針（図示しない）と、をデジタルで表示する。この目盛に対するこの指針の位置によりエンジン回転数が表される。第３の表示部１ｃは、長方形状をなすとともに第１及び第２の表示部１ａ，１ｂの間に位置して、ナビゲーション情報又は各種車両情報をデジタルで表示する。
【００１１】
具体的には、表示装置１は、図２に示すように、下ケース１０と、制御基板２０と、表示器３０と、加飾ケース４０と、透光性基板５０と、ワーニングボックス３５ｒ，３５ｌと、加飾リング５５ａ，５５ｂと、を備える。
【００１２】
下ケース１０は、ＡＢＳ（Acrylonitrile Butadiene Styrene）樹脂又はＰＰ(Polypropylene)樹脂により形成されている。また、下ケース１０は、表側、すなわち視認者側に向かって開口した箱状をなす。下ケース１０の底面１１には、複数、本例では４つの円柱状のボス部１１ａが形成されている。各ボス部１１ａには、底面１１の垂直方向に貫通する孔１１ｂが形成されている。孔１１ｂにはビス６０が挿通される。下ケース１０内には、制御基板２０及び表示器３０が収容される。下ケース１０は、例えば、つや消し黒色により形成される。また、図２及び図４（ａ）に示すように、下ケース１０における外側の側面及び外側の底面には、それぞれ複数の立設部１２が設けられている。各立設部１２は板状に形成される。各立設部１２には図示しないボルト等の締結具が挿通される貫通孔が形成される。この締結具により、表示装置１は、取付対象である例えば車両のダッシュボードに固定される。
【００１３】
制御基板２０は、図２に示すように、長方形板状をなし、表示器３０を制御する制御素子（図示しない）を備える。図４（ａ）に示すように、制御基板２０には、その厚さ方向に貫通したビス６０が挿通される複数、本例では４つの孔２１ａが形成されている。各孔２１ａは、下ケース１０の各孔１１ｂに連通する。制御基板２０の表面には、例えば、ＬＥＤ（Light Emitting Diode）からなる光源（図示しない）が実装されている。
【００１４】
表示器３０は、ＴＦＴ（Thin Film Transistor）型の液晶表示パネルを備える。表示器３０は、上記制御素子による制御のもと、上記光源からの光を受けて画像を表す表示光を出射する。これにより、各表示部１ａ〜１ｃに画像が表示される。
【００１５】
図２に示すように、各ワーニングボックス３５ｒ，３５ｌは、制御基板２０の表面に位置し、光源（図示しない）を囲むように枠状をなす。各ワーニングボックス３５ｒ，３５ｌは、視認者から見て鈍角で屈曲した外形をなす。右側ワーニングボックス３５ｒは表示器３０の右方に位置し、左側ワーニングボックス３５ｌは表示器３０の左方に位置する。各ワーニングボックス３５ｒ，３５ｌは、例えば、ＡＢＳ樹脂又はＰＰ樹脂により形成され、光を反射する白色で形成されている。各ワーニングボックス３５ｒ，３５ｌの表側には各種警告に係る意匠が施されたカラーレンズ（図示しない）が設置される。各ワーニングボックス３５ｒ，３５ｌによって導光された光源からの光がこのカラーレンズに照射されることで各種警告に係る意匠が点灯する。
【００１６】
加飾ケース４０は、ＡＢＳ樹脂又はＰＰ樹脂により形成される。また、加飾ケース４０は、その全周囲にメッキ又は塗装により例えば銀色の着色層が形成されている。加飾ケース４０は、表示器３０及び制御基板２０が収容された下ケース１０の表側に位置する。
【００１７】
加飾ケース４０は、基板支持部４１と、外形加飾部４５と、を備える。基板支持部４１および外形加飾部４５は一体で形成される。
基板支持部４１は、透光性基板５０をその裏面から支持する。基板支持部４１は、略長方形の枠状をなす。基板支持部４１には、表示器３０が内在する中央孔４１ａと、視認者から見て左右方向の両端に位置する２つの透光孔４１ｒ，４１ｌと、が形成されている。右側透光孔４１ｒは、右側ワーニングボックス３５ｒに対応して位置し、右側ワーニングボックス３５ｒによって導かれた光を透光性基板５０に通過させる。左側透光孔４１ｌは、左側ワーニングボックス３５ｌに対応して位置し、左側ワーニングボックス３５ｌによって導かれた光を透光性基板５０に通過させる。基板支持部４１の裏面には、円筒状の複数、本例では４つのボス部４１ｂが形成されている。各ボス部４１ｂには、図５に示すように、裏側に向かって開口したねじ孔４１ｃが形成されている。各ボス部４１ｂのねじ孔４１ｃは、下ケース１０の各孔１１ｂ及び制御基板２０の各孔２１ａに連通する。ビス６０は、図４に示すように、連通したねじ孔４１ｃ、孔１１ｂ及び孔２１ａに挿通される。このビス６０により、下ケース１０、制御基板２０及び加飾ケース４０が固定される。
【００１８】
外形加飾部４５は、図６に示すように、加飾ケース４０の外周縁部に位置し、表側に向かって突出する。外形加飾部４５は、視認者から見て左右方向に長い６角形の枠状をなす。外形加飾部４５における各角部は湾曲して形成される。外形加飾部４５は、図４（ｂ）に示すように、基板支持部４１により支持された透光性基板５０を囲むように位置する。外形加飾部４５は傾斜面４６を備える。傾斜面４６は、外形加飾部４５の外周面から外形加飾部４５の先端側（表側）に向かうにつれて透光性基板５０側に近づくような円弧状に形成される。傾斜面４６は、視認者から見た外形加飾部４５の幅Ｗを細く見せるために形成される。よって、傾斜面４６は、視認者からの視線方向に沿うように傾斜していることが望ましい。
【００１９】
透光性基板５０は、例えば、無機ガラス、アクリル又はポリカーボネート樹脂からなる透明部材又は透光性の着色部材である。この着色は、透光性あれば、スモーク（灰色）、青系、赤系、黄系等の何れの色であってもよい。透光性基板５０は、視認者から見て左右方向に長い６角形の板状をなす。透光性基板５０の裏面の外周部は、加飾ケース４０の基板支持部４１の表面に両面テープ又は接着剤を介して接着される。透光性基板５０の外周面は外形加飾部４５の内周面に対向する。透光性基板５０の表面には滑らかに連続する勾配が形成されている。具体的には、図３に示すように、透光性基板５０の表面には、透光性基板５０の外周側に位置する登り勾配５０ｕと、登り勾配５０ｕの内周側に位置する下り勾配５０ｄと、透光性基板５０の表面の中央領域に位置する平面部５０ｐと、が形成される。登り勾配５０ｕは、透光性基板５０の中央に向かうにつれて視認者側（表側）に近づくように傾斜している。また、下り勾配５０ｄは、登り勾配５０ｕに連続するとともに、透光性基板５０の中央に向かうにつれて視認者から離れるように傾斜している。下り勾配５０ｄの内周側には平面部５０ｐが形成されている。登り勾配５０ｕ及び下り勾配５０ｄにより、外形加飾部４５の傾斜面４６から透光性基板５０の表面へと滑らかにつなげることができる。本例では、図３に示すように、登り勾配５０ｕ及び下り勾配５０ｄは視認者から見てワーニングボックス３５ｒ，３５ｌを含む範囲に形成されている。また、平面部５０ｐは、表示器３０の表面に対応する範囲に形成されている。
【００２０】
図４（ｂ）に示すように、透光性基板５０の裏面には遮光層５１が形成されている。遮光層５１は、例えばシルク印刷、オフセット印刷、塗装等により形成される暗色系の層である。遮光層５１は、視認者から見て、基板支持部４１に重なるように、かつ表示器３０の表面に重ならないように形成される。
【００２１】
加飾リング５５ａ，５５ｂは、図１に示すように、透光性基板５０の表面に固定されている。加飾リング５５ａ，５５ｂは、ＡＢＳ樹脂又はＰＰ樹脂により形成される。また、加飾リング５５ａ，５５ｂは、その全周囲にメッキ又は塗装により例えば銀色の着色層が形成されている。各加飾リング５５ａ，５５ｂはＣ字状をなす。各加飾リング５５ａ，５５ｂの開口部は互いに向き合っている。加飾リング５５ｂは、第２の表示部１ｂの外形を区画するために設けられている。加飾リング５５ａは、第１の表示部１ａの外形を区画するために設けられている。各加飾リング５５ａ，５５ｂは、下り勾配５０ｄと平面部５０ｐとの境界部分に位置する。これにより、表示装置１の意匠性が高まる。
【００２２】
上記表示装置１においては、視認者から見て、表示装置１の外形を囲むように外形加飾部４５が露出する。このとき、遮光層５１により、意匠性の観点からは不要である基板支持部４１が見えないように隠される。
【００２３】
（効果）
以上、説明した一実施形態によれば、以下の効果を奏する。
【００２４】
（１）表示装置１は、情報を表示する表示器３０と、表示器３０を収容する下ケース１０と、下ケース１０の表側であって、表示器３０の周囲に位置する加飾ケース４０と、加飾ケース４０の表側に位置し、表示器３０からの光を透過する透光性基板５０と、を備える。加飾ケース４０は、透光性基板５０を透光性基板５０の裏面から支持する基板支持部４１と、基板支持部４１に連結され、透光性基板５０の外周側に位置し、視認者から視認される外形加飾部４５と、を備える。
この構成によれば、外形加飾部４５は基板支持部４１に連結されるため、表示装置１の意匠性を高めるために視認者から見て外形加飾部４５を細く形成した場合であっても、外形加飾部４５の強度が保たれる。このため、表示装置１の意匠性を向上させつつ、外形加飾部４５の強度を高めることができる。
【００２５】
（２）透光性基板５０の裏面には、視認者から見て基板支持部４１を含む範囲に遮光層５１が形成される。
この構成によれば、遮光層５１により、視認者から基板支持部４１が視認されることが抑制される。よって、外形加飾部４５を細く見せることができ、より意匠性を向上させることができる。
【００２６】
（３）外形加飾部４５は、外形加飾部４５の外周側面から視認者側に向かうにつれて透光性基板５０側に近づくような傾斜面４６を備える。
この構成によれば、外形加飾部４５に傾斜面４６が形成されることで、図４（ｂ）に示すように、視認者から見た外形加飾部４５の幅Ｗを細く見せることができ、より意匠性を向上させることができる。
また、外形加飾部４５は、その角部がなくなるように円弧状に形成されることから、外形加飾部４５に外力が加えられた場合に、その角部への応力集中を回避でき、外形加飾部４５の強度を向上させることができる。
【００２７】
（４）透光性基板５０の表面には、透光性基板５０の中央に近づくにつれて視認者側に向かうように傾斜し、透光性基板５０の外周側に位置する登り勾配５０ｕと、透光性基板５０の中央に近づくにつれて視認者から離れるように傾斜し、登り勾配５０ｕの内周側に登り勾配５０ｕに連続して位置する下り勾配５０ｄと、が形成される。
この構成によれば、外形加飾部４５の外周側面、表面、透光性基板５０の登り勾配５０ｕ及び下り勾配５０ｄを少ない段差にて滑らかに連続させることができる。よって、透光性基板５０及び外形加飾部４５に一体感を創出することができ、表示装置１の意匠性を向上させることができる。
【００２８】
（５）表示装置１は、透光性基板５０の表面に位置する加飾リング５５ａ，５５ｂを備える。
この構成によれば、外形加飾部４５に加えて、加飾リング５５ａ，５５ｂにより、さらに表示装置１の意匠性を向上させることができる。
【００２９】
（６）外形加飾部４５は視認者から見て左右方向に長い６角形の枠状をなし、外形加飾部４５における各角部は湾曲して形成される。
この構成によれば、外形加飾部４５における角部が多くなることで、各角部に加わる応力を分散させることができる。また、各角部が湾曲して形成されることで、各角部の特定箇所に応力が集中することが抑制される。よって、外形加飾部４５の強度を高めることができる。また、通常の携帯電話等の表示装置は正面から見て４角形が一般的であるため、６角形の外形加飾部４５を採用することでより斬新な意匠を実現することができる。
【００３０】
（変形例）
なお、上記実施形態は、これを適宜変更した以下の形態にて実施することができる。
【００３１】
上記実施形態においては、表示装置１は、液晶表示パネルを含む表示器３０を備えていたが、表示器３０はアナログ式の計器であってもよい。この場合、表示器３０は、数字及び目盛を表す表示板と、その表示板の表面に位置する指針と、その指針を回転させるモータと、を備える。また、表示器３０は、デジタル式の計器とアナログ式の計器とを組み合わせて構成されてもよい。
さらに、表示器３０は有機ＥＬ（Electro-Luminescence）ディスプレイ装置であってもよい。
【００３２】
上記実施形態における遮光層５１を省略してもよい。また、加飾リング５５ａ，５５ｂの数、形状等は適宜変更可能である。また、加飾リング５５ａ，５５ｂを省略してもよい。
【００３３】
上記実施形態においては、透光性基板５０の表面には、登り勾配５０ｕ及び勾配５０ｄが形成されているが、これらを省略して、透光性基板５０の表面は平面状に形成されてもよい。
【００３４】
上記実施形態においては、外形加飾部４５には傾斜面４６が形成されていたが、外形加飾部４５の側周面は、制御基板２０の表面に対して垂直に延びていてもよい。
【００３５】
上記実施形態においては、外形加飾部４５は視認者から見て左右方向に長い６角形の枠状をなしていたが、多角形であれば６角形に限らない。また、外形加飾部４５における各角部は湾曲して形成されていたが、湾曲していなくてもよい。
【００３６】
上記実施形態においては、ビス６０により、下ケース１０、制御基板２０及び加飾ケース４０が固定されていたが、ビス６０に限らずに、フックにより下ケース１０、制御基板２０及び加飾ケース４０が固定されてもよい。
【００３７】
上記実施形態においては、加飾ケース４０は、その全周囲に着色層が形成されていたが、加飾ケース４０のうち外形加飾部４５の周囲のみに着色層が形成されてもよい。また、着色層に限らず、加飾ケース４０又は外形加飾部４５自体を、表示装置１の意匠的なアクセントとなる色の樹脂にて形成してもよい。
さらに、加飾ケース４０において、基板支持部４１および外形加飾部４５は一体で形成されていたが別体で形成されてもよい。この場合、基板支持部４１および外形加飾部４５は、接着剤、フック又はねじ等で連結されてもよい。
【００３８】
上記実施形態においては、表示装置１は車両に搭載されていたが、これに限らず、船、飛行機等の他の乗り物に搭載されていてもよい。また、表示装置１は携帯端末として構成されてもよい。
【符号の説明】
【００３９】
１…表示装置
１ａ…第１の表示部
１ｂ…第２の表示部
１ｃ…第３の表示部
１０…下ケース
２０…制御基板
３０…表示器
３５ｒ…右側ワーニングボックス
３５ｌ…左側ワーニングボックス
４０…加飾ケース
４１…基板支持部
４１ａ…中央孔
４１ｂ…ボス部
４１ｒ…右側透光孔
４１ｌ…左側透光孔
４５…外形加飾部
４６…傾斜面
５０…透光性基板
５０ｕ…登り勾配
５０ｄ…下り勾配
５０ｐ…平面部
５１…遮光層
５５ａ，５５ｂ…加飾リング
６０…ビス
【図１】
2018040747.tif 000003
【図２】
2018040747.tif 000004
【図３】
2018040747.tif 000005
【図４】
2018040747.tif 000006
【図５】
2018040747.tif 000007
【図６】
2018040747.tif 000008